(57)【要約】【課題】夏季の炎天下でも快適に過ごすことができる玄関土間構造を提供する。【解決手段】住宅建物１１の玄関土間１の土間下地１０の上に断熱材２が設けられ、この断熱材２の上に冷却水の配管３が配設され、この配管３の上にコンクリート４を打設して土間１０が仕上げられたものである。また、上記玄関土間１の構造において、冷却水として住宅建物１１の地盤からくみ上げた井戸水を利用するものである。さらに、上記玄関土間１の構造において、玄関先の地面７には、周囲を砂利６２で固められた有孔管６が埋設され、配管３からの冷却水が、この有孔管６から砂利６２を介して地面７に排水可能となされたものである。【選択図】  図１
2008025253.tif 000002
【特許請求の範囲】
【請求項１】
住宅建物の玄関土間下地上に断熱材が設けられ、この断熱材上に冷却水の配管が配設され、この配管上にコンクリートを打設して土間が仕上げられたことを特徴とする玄関土間構造。
【請求項２】
冷却水として住宅建物の地盤からくみ上げた井戸水を利用する請求項１記載の玄関土間構造。
【請求項３】
玄関先の地面には、周囲を砂利で固められた有孔管が埋設され、配管からの冷却水が、この有孔管に排水可能となされた請求項１または２記載の玄関土間構造。
【発明の詳細な説明】
【技術分野】
【０００１】
本発明は、住宅建物の玄関土間構造に関するものである。
【背景技術】
【０００２】
一般に、住宅建物の玄関土間は、玄関ドア自体に優れた気密性や防犯性が求められるため、十分な通気性を確保することができず、閉塞された空間になりやすい。
【０００３】
そこで、従来より、このような玄関土間に通風機能を持たせるための工夫として、玄関土間に面する壁面に窓を設けることが行われている。
【０００４】
また、玄関ドアの一側に通風可能な網戸や鉄格子を嵌め込んだ開口を設けることが提案されている（特許文献１、２参照）。
【特許文献１】特開平１１−１７３０２３号公報
【特許文献２】特開２０００−２０４８５８号公報
【発明の開示】
【発明が解決しようとする課題】
【０００５】
しかし、地面との間に床下空間を有する居室などの空間とは異なり、玄関土間の場合は、直接地面からつながっているので、夏季の炎天下では、焼けた地面の影響で、玄関土間も暑くなってしまう。したがって、上記従来のように通風を確保した程度の構造では、玄関土間を十分に快適な空間にすることはできない。
【０００６】
そのため、玄関先に打ち水などを行うことが行われているが、その都度、水を汲んで撒かなければならず、煩わしくなってしまう。
【０００７】
本発明は、係る実情に鑑みてなされたものであって、夏季の炎天下でも快適に過ごすことができる玄関土間構造を提供することを目的としている。
【課題を解決するための手段】
【０００８】
上記課題を解決するための本発明の玄関土間構造は、住宅建物の玄関土間下地上に断熱材が設けられ、この断熱材上に冷却水の配管が配設され、この配管上にコンクリートを打設して土間が仕上げられたものである。
【０００９】
また、上記玄関土間構造において、冷却水として住宅建物の地盤からくみ上げた井戸水を利用するものである。
【００１０】
さらに、上記玄関土間構造において、玄関先の地面には、周囲を砂利で固められた有孔管が埋設され、配管からの冷却水が、この有孔管に排水可能となされたものである。
【発明の効果】
【００１１】
以上述べたように、本発明によると、地面からの熱を断熱材で遮断し、配管内を流れる冷却水によって土間を冷却することができるので、夏季の炎天下でも快適で涼しい土間空間を形成することができる。
【００１２】
また、冷却水として井戸水を使用することで、夏季の井戸水は水道水よりも温度が低く、かつ無料であるため、優れた冷却効果を低コトスで得ることができる。
【００１３】
さらに、玄関先の地面には、周囲を砂利で固められた有孔管を埋設し、配管からの冷却水を、この有孔管に排水可能としているので、冷却によって暖められた冷却水をこの有孔管から定期的に排水することで、玄関土間の冷却効果を維持することができ、しかも、有孔管から排水された排水は、玄関先の地面で気化して地面の冷却に寄与するとともに、それでも余剰の排水は、地面に浸透して再度井戸水とすることができる。また、凍結が懸念される冬季には、配管内の冷却水を、この有孔管へと排水して水抜きしておくことができる。
【発明を実施するための最良の形態】
【００１４】
以下、本発明の実施の形態を図面を参照して説明する。
【００１５】
図１は玄関土間構造の全体構成の概略を示し、図２ないし図４は、同玄関土間構造の各要部を示している。
【００１６】
すなわち、この玄関土間１の構造は、土間下地１０上に断熱材２を設け、この断熱材２上に冷却水の配管３を配設し、この配管３上にコンクリート４を打設して仕上げられている。
【００１７】
土間下地１０は、コンクリートを打設して構成されている。この土間下地１０は、住宅建物１１の基礎１１ａのコンクリートを打設する際に一緒に構成される。
【００１８】
断熱材２は、厚さ２５ｍｍの発泡スチロール製の板材によって構成されている。この断熱材２は、上記土間下地１０の上に防水シート２１を敷設した後、この防水シート２１の表面全体に設けられる。この断熱材２の表面全体には、一辺が１００ｍｍの格子状となるように、３．２φの鉄筋２２が配筋される。
【００１９】
配管３は、１３φの架橋ポリエチレン管によって構成されている。この配管３は、玄関土間１の表面全体に広がるように、上記した鉄筋２２の表面全体に均等に蛇行して配設される。この配管３の冷却水入口３１および冷却水出口３２は、玄関先１２の周辺に設けられたマンホール５に導出するようになされている。
【００２０】
このマンホール５内には、地盤からくみ上げた井戸水の貯水タンク（図示省略）からの供給管５１が設けられており、この供給管５１からバルブ５２を介して冷却水入口３１に接続されている。冷却水出口３２には、定流量弁５３が接続されており、配管３を流れる冷却水が一定流量となるように調整されている。この定流量弁５３から先は、２つに分岐するようになされている。
【００２１】
分岐した一方は、バルブ５２を経て冷却水を貯水タンク（図示省略）へと環流させる環流管５４が接続されている。
【００２２】
分岐した他方は、バルブ５２を経て排水管５５が接続されている。この排水管５５からの排水は、マンホール５内に導入された有孔管６の排水口６１へと排水するようになされている。
【００２３】
この有孔管６は、マンホール５から水平方向に導出されており、その外周面には複数の孔６０が穿孔されている。そして、この有孔管６の周囲は、水が浸透容易な砂利６２で固められている。これにより、排水管５５から排水口６１を経て有孔管６へと排水された水は、砂利６２から地面７へと浸透することとなる。この際、地面７が炎天下で焼けているような場合には、この排水した水の気化により、地面７の冷却効果が得られることとなる。また、地面７が炎天下で焼けていないような場合には、この排水された水は、再び地盤へと浸透し、地下水の水脈へと溜まることとなる。また、この排水を、家庭菜園などに導き、有孔管６から砂利６２を介して菜園へと排水してもよい。この場合、土間１を冷却した後の水を、菜園の水やりに有効利用することができる。
【００２４】
コンクリート４は、上記した配管３の表面全体を被覆するように土間１に打設される。このコンクリート４としては、炎天下による熱の影響をあまり受けず、配管３による冷却効果を直ぐに体感できるように、例えば、シンダーコンクリートや、人工軽量骨材を用いたコンクリートなどの軽量コンクリートを用いることができる。また、コンクリート４を打設したさらにその表面には、タイルなどの表面化粧材４１を貼設して仕上げられる。軽量コンクリートを用いた場合、通常の構造用コンクリートと比較すると熱容量が２／３程度なので、炎天下による熱の蓄熱を減らし、蓄熱しても直ぐに放熱できることとなる。したがって、配管３に冷却水を流すことで、直ぐに土間１を冷却することができる。
【００２５】
このようにして構成される土間構造によると、地面７からの熱を断熱材２で遮断し、配管３内を流れる冷却水によって土間１を冷却することができるので、夏季の炎天下でも快適で涼しい土間空間を形成することができる。
【００２６】
また、冷却水として使用する井戸水は、場合によって異なるが年間を通して約１５℃程度と温度が安定しており、その結果、夏季の井戸水は水道水よりも温度が低い。しかも、無料であるため、優れた冷却効果を低コトスで得ることができる。
【００２７】
さらに、配管３内を流れる冷却水が冷却によって高温になってきた場合には、排水管５５を介して有孔管６へと排水し、配管３内へは、新しい冷却水を流すことで、土間１の冷却効果を維持することができる。また、有孔管６から地面７に排水された水で地面７を冷却することができるので、この有孔管６を玄関先の地面７に埋設しておけば、地面７が炎天下で焼けるのを防止して玄関先に打ち水をしたのと同様の効果を得ることができる。また、有孔管６からの余剰の排水は、地面７に浸透して再度井戸水とすることができる。また、凍結が懸念される冬季には、配管３内の冷却水を、この有孔管６へと排水して水抜きしておくことができる。
【００２８】
なお、本実施の形態において、冷却水は、貯水タンク（図示省略）にくみ上げた地盤からの井戸水を利用するようになされているが、この冷却水としては、特にこのような井戸水に限定されるものではなく、住宅建物１１の地下などに埋設された雨水回収タンクなどに回収した水を利用するものであってもよいし、水道水を利用するものであってもよい。また、本実施の形態では水を冷媒としているが、通常のヒートポンプサイクルで用いているような冷媒を用いて構成したものであってもよい。また、このようなヒートポンプサイクルと併用する場合、冷媒タンク( 図示省略) の冷媒をヒートポンプと分け合うように並列で接続してもよいし、ヒートポンプと配管６とを直列に接続してもよいし、冷媒タンク( 図示省略) から、ヒートポンプまたは配管６へと選択的に冷媒を供給できるように接続してもよい。もちろん、この場合の冷媒は水であってもよい。
【００２９】
また、本実施の形態では、配管３を流れる冷却水を有孔管６から地面７へと流すようになされているが、直接下水管へと導くものであっても良いし、この有孔管６か下水管の何れかを選択して流すように切り替えられるようになされたものであってもよい。
【００３０】
さらに、本実施の形態では、配管３は、土間１だけに設けられているが、玄関先１２のコンクリート部分も同様に配管３を設けて構成してもよい。
【００３１】
さらに、本実施の形態において、土間下地１０、断熱材２、配管３、コンクリート４、マンホール５、有孔管６などのサイズや、配管３、マンホール５、有孔管６などの配置や取り回しは、特に限定されるものではなく、土間１の大きさや住宅建物１１の間取りなどに応じて適宜決定される。
【産業上の利用可能性】
【００３２】
住宅建物の玄関土間に利用できる。
【図面の簡単な説明】
【００３３】
【図１】本発明に係る玄関土間構造の全体構成の概略を示す平面図である。
【図２】本発明に係る玄関土間構造における配管周辺の垂直部分断面図である。
【図３】本発明に係る玄関土間構造におけるマンホール周辺の垂直部分断面図である。
【図４】本発明に係る玄関土間構造におけるマンホール周辺の水平部分断面図である。
【符号の説明】
【００３４】
１  玄関土間
１０  土間下地
２  断熱材
３  配管
４  コンクリート
６  有孔管
６２  砂利
７  地面
【図１】
2008025253.tif 000003
【図２】
2008025253.tif 000004
【図３】
2008025253.tif 000005
【図４】
2008025253.tif 000006